(57)【特許請求の範囲】
【請求項１】
記録媒体に画像を出力する画像出力手段と、
複数の画像情報を入力する入力手段と、
前記入力手段により入力された画像情報を記憶する記憶手段と、
前記記憶手段に記憶された所定数の原稿画像を選択される記録媒体のサイズに応じて確保されるレイアウト領域に展開させるレイアウトモードを設定する設定手段と、
前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、
前記選択手段の選択結果に基づいて前記第１のレイアウトモードまたは第２のレイアウトモードによるレイアウト処理を切り換え制御する制御手段と、
積載されるサイズの異なる複数枚の原稿を順次読取り位置に給送する原稿給送手段と、
前記原稿給送手段から給送される原稿を読み取る画像読取り手段と、
前記原稿給送手段から給送する原稿枚数を計数する原稿計数モードを設定する原稿計数モード設定手段と、を有し、
前記選択手段は、前記原稿計数モード設定手段による前記原稿計数モードの設定状態を判別して第１または第２のレイアウトモードのいずれかを選択することを特徴とする画像処理装置。
【請求項２】
請求項１記載の画像処理装置であって、
前記選択手段は、前記原稿計数モード設定手段により前記原稿計数モードが設定されていると判別した場合に、前記第１のレイアウトモードを選択することを特徴とする画像処理装置。
【請求項３】
請求項１又は２記載の画像処理装置であって、
前記選択手段は、前記原稿計数モード設定手段により前記原稿計数モードが設定されていないと判別した場合に、前記第２のレイアウトモードを選択することを特徴とする画像処理装置。
【請求項４】
記録媒体に画像を出力する画像出力手段と、
複数の画像情報を入力する入力手段と、
前記入力手段により入力された画像情報を記憶する記憶手段と、
前記記憶手段に記憶された所定数の原稿画像を選択される記録媒体のサイズに応じて確保されるレイアウト領域に展開させるレイアウトモードを設定する設定手段と、
前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、
前記選択手段の選択結果に基づいて前記第１のレイアウトモードまたは第２のレイアウトモードによるレイアウト処理を切り換え制御する制御手段と、
積載されるサイズの異なる複数枚の原稿を順次読取り位置に給送する原稿給送手段と、
前記原稿給送手段から給送される原稿を読み取る画像読取り手段と、
前記原稿給送手段に積載される原稿束中の先頭原稿から給送可能かどうかを識別する識別手段と、を有し、
前記選択手段は、前記識別手段による識別結果に基づいて第１または第２のレイアウトモードのいずれかを選択することを特徴とする画像処理装置。
【請求項５】
請求項４記載の画像処理装置であって、
前記選択手段は、前記識別手段が原稿給送手段に積載される原稿束中の先頭原稿から給送可能と識別した場合に、第１のレイアウトモードを選択することを特徴とする画像処理装置。
【請求項６】
請求項４又は５記載の画像処理装置であって、
前記選択手段は、前記識別手段が原稿給送手段に積載される原稿束中の先頭原稿から給送不可と識別した場合に、第２のレイアウトモードを選択することを特徴とする画像処理装置。
【請求項７】
記録媒体に画像を出力する画像出力手段と、
複数の画像情報を入力する入力手段と、
前記入力手段により入力された画像情報を記憶する記憶手段と、
前記記憶手段に記憶された所定数の原稿画像を選択される記録媒体のサイズに応じて確保されるレイアウト領域に展開させるレイアウトモードを設定する設定手段と、
前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、
前記選択手段の選択結果に基づいて前記第１のレイアウトモードまたは第２のレイアウトモードによるレイアウト処理を切り換え制御する制御手段と、
積載されるサイズの異なる複数枚の原稿を順次読取り位置に給送する原稿給送手段と、
前記原稿給送手段から給送される原稿を読み取る画像読取り手段と、
前記読取り手段より読み取った画像の画像方向を検知する画像方向検知手段と、
前記画像方向検知手段の検知結果に応じて前記レイアウトモードの画像レイアウト順を制御する第１の制御モードと、前記画像方向検知手段の検知結果によらずに前記レイアウトモードの画像レイアウト順を制御する第２の制御モードの、何れかを指定する指定手段と、を有し、
前記選択手段は、前記指定手段に応じて、前記第１のレイアウトモードと第２のレイアウトモードの何れかを選択することを特徴とする画像処理装置。
【請求項８】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、
更に、原稿画像データの画像方向を判別する画像方向判定手段を有し、
前記レイアウト処理を実行可能とし、且つ、前記画像方向判定手段による判定結果に基づいて画像データの回転処理を実行可能とする、ことを特徴とする画像処理装置。
【請求項９】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、
更に、前記画像処理装置は、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせる、ことを特徴とする画像処理装置。
【請求項１０】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、
更に、前記画像処理装置は、
プリント処理がなされたレイアウト処理済の画像データを、前記記憶手段に保持しておき、複数部数分のプリントを行う際に、前記記憶手段から読み出して繰り返し利用可能にする、ことを特徴とする画像処理装置。
【請求項１１】
複数ページの原稿画像データを記憶可能なハードディスクを有し、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記ハードディスクに原稿画像データを記憶させる指定を行う設定手段を有し、
前記設定手段により前記指定がなされた場合に、前記レイアウト処理を実行せずに前記ハードディスクに原稿画像データを記憶して、前記ハードディスクに該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記ハードディスクに記憶して、前記ハードディスクに該画像データを記憶した後はレイアウト処理を実行せずに、前記ハードディスクの該画像データを１枚の用紙にプリント可能にする、ことを特徴とする画像処理装置。
【請求項１２】
複数ページの原稿画像データを記憶可能な記憶手段と、コンピュータから出力された画像データを入力する外部Ｉ／Ｆ処理手段と、を有し、該コンピュータから出力された画像データを前記記憶手段を介してプリント可能とし、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする、ことを特徴とする画像処理装置。
【請求項１３】
複数ページの原稿画像データを記憶可能な記憶手段を有し、且つ、スキャナで読取った画像データを前記記憶手段を介してプリント可能なコピー機能とコンピュータから出力された画像データを前記記憶手段を介してプリント可能なプリント機能とを具備し、且つ、複数ページの原稿画像データが１枚の用紙にプリントされるようにレイアウト処理が施された画像データを該１枚の用紙に対してプリント可能な、画像処理装置であって、
前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする、ことを特徴とする画像処理装置。
【請求項１４】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
操作部を介して操作者により原稿の出力枚数を指定する為の操作を受付ける設定手段を有し、
前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする画像処理装置。
【請求項１５】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
処理すべき原稿の枚数をカウントする原稿枚数カウントモードを設定する設定手段を有し、
前記設定手段により前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段により前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする画像処理装置。
【請求項１６】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
複数ページの原稿画像データを操作者からの指示により１枚ずつ入力する圧板モードを実行可能な圧板モード実行手段を有し、
前記圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする画像処理装置。
【請求項１７】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする画像処理装置。
【請求項１８】
請求項９乃至１７の何れかに記載の画像処理装置であって、
原稿画像データの画像方向を判別する画像方向判定手段を有し、
前記レイアウト処理を実行可能とし、且つ、前記画像方向判定手段による判定結果に基づいて画像データの回転処理を可能とすることを特徴とする画像処理装置。
【請求項１９】
請求項１８に記載の画像処理装置であって、
前記画像方向判定手段は、画像方向を判別するうえで、文字認識処理を実行することを特徴とする画像処理装置。
【請求項２０】
請求項８及び１０乃至１９の何れかに記載の画像処理装置であって、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする画像処理装置。
【請求項２１】
請求項８及び９及び１１乃至２０の何れかに記載の画像処理装置であって、
プリント処理がなされたレイアウト処理済の画像データは前記記憶手段に保持しておき、複数部数分のプリントを行う際に、前記記憶手段から読み出して繰り返し利用可能にすることを特徴とする画像処理装置。
【請求項２２】
請求項８乃至１０及び１２乃至２１の何れかに記載の画像処理装置であって、前記記憶手段はハードディスクを含むことを特徴とする画像処理装置。
【請求項２３】
請求項８乃至１１及び１３乃至２２の何れかに記載の画像処理装置であって、前記画像処理装置は、コンピュータから出力された画像データを入力する外部Ｉ／Ｆ処理手段を有し、該コンピュータから出力された画像データを前記記憶手段を介してプリント可能とすることを特徴とする画像処理装置。
【請求項２４】
請求項８乃至１２及び１４乃至２３の何れかに記載の画像処理装置であって、
前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする画像処理装置。
【請求項２５】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、
更に、前記画像処理方法は、
前記レイアウト処理を前記画像処理装置により実行させ、且つ、原稿画像データの画像方向を判別する前記画像処理装置が具備する画像方向判定手段による判定結果に基いて画像データの回転処理を実行させる、ことを特徴とする画像処理方法。
【請求項２６】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、
更に、前記画像処理方法は、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせる、ことを特徴とする画像処理方法。
【請求項２７】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、
更に、前記画像処理方法は、
プリント処理がなされたレイアウト処理済の画像データを、前記記憶手段に保持しておき、複数部数分のプリントを行う際に、前記記憶手段から読み出して繰り返し利用可能にする、ことを特徴とする画像処理方法。
【請求項２８】
複数ページの原稿画像データを記憶可能なハードディスクを有し、且つ、複数ページの原稿画像データが１枚の用紙にプリントされるようにレイアウト処理が施された画像データを該１枚の用紙に対してプリント可能な画像処理装置の画像処理方法であって、
前記レイアウト処理を実行せずに前記ハードディスクに原稿画像データを記憶させる指定がなされた場合に、前記レイアウト処理を実行せずに前記ハードディスクに原稿画像データを記憶させ、前記ハードディスクに該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記ハードディスクに記憶させ、前記ハードディスクに該画像データを記憶した後はレイアウト処理を実行させずに、前記ハードディスクの該画像データを１枚の用紙にプリントさせる、ことを特徴とする画像処理方法。
【請求項２９】
複数ページの原稿画像データを記憶可能な記憶手段と、コンピュータから出力された画像データを入力する外部Ｉ／Ｆ処理手段と、を有し、該コンピュータから出力された画像データを前記記憶手段を介してプリント可能とし、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせる、ことを特徴とする画像処理方法。
【請求項３０】
複数ページの原稿画像データを記憶可能な記憶手段を有し、且つ、スキャナで読取った画像データを前記記憶手段を介してプリント可能なコピー機能とコンピュータから出力された画像データを前記記憶手段を介してプリント可能なプリント機能とを具備し、且つ、複数ページの原稿画像データが１枚の用紙にプリントされるようにレイアウト処理が施された画像データを該１枚の用紙に対してプリント可能な、画像処理装置の画像処理方法であって、
前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、
前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせる、ことを特徴とする画像処理方法。
【請求項３１】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
操作部を介して操作者により原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする画像処理方法。
【請求項３２】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
処理すべき原稿の枚数をカウントする原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする画像処理方法。
【請求項３３】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
複数ページの原稿画像データを操作者からの指示により１枚ずつ入力する圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする画像処理方法。
【請求項３４】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、
複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする画像処理方法。
【請求項３５】
請求項２６乃至３４の何れかに記載の画像処理方法であって、
前記画像処理装置は、原稿画像データの画像方向を判別する画像方向判定手段を有し、前記レイアウト処理を実行可能とし、且つ、前記画像方向判定手段による判定結果に基づいて画像データの回転処理を可能とすることを特徴とする画像処理方法。
【請求項３６】
請求項３５記載の画像処理方法であって、
前記画像方向判定手段は、画像方向を判別するうえで、文字認識処理を実行することを特徴とする画像処理方法。
【請求項３７】
請求項２５及び２７乃至３６の何れかに記載の画像処理方法であって、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする画像処理方法。
【請求項３８】
請求項２５及び２６及び２８乃至３７の何れかに記載の画像処理方法であって、
プリント処理がなされたレイアウト処理済の画像データは前記記憶手段に保持しておき、複数部数分のプリントを行う際に、前記記憶手段から読み出して繰り返し利用可能にすることを特徴とする画像処理方法。
【請求項３９】
請求項２５乃至２７及び２９乃至３８の何れかに記載の画像処理方法であって、前記記憶手段はハードディスクを含むことを特徴とする画像処理方法。
【請求項４０】
請求項２５乃至２８及び３０乃至３９の何れかに記載の画像処理方法であって、
前記画像処理装置は、コンピュータから出力された画像データを入力する外部Ｉ／Ｆ処理手段を有し、該コンピュータから出力された画像データを前記記憶手段を介してプリント可能とすることを特徴とする画像処理方法。
【請求項４１】
請求項２５乃至２９及び３１乃至４０の何れかに記載の画像処理方法であって、
前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする画像処理方法。
【請求項４２】
請求項２５乃至４１の何れかに記載の画像処理方法をコンピュータに実行させる為のコンピュータ読取可能な記憶媒体。
【発明の詳細な説明】
【０００１】
【発明の属する技術分野】
本発明は、複数枚の原稿画像を読み取ってメモリ上でレイアウト編集しながら画像出力可能な画像処理装置および画像処理方法および記録媒体に関するものである。
【０００２】
【従来の技術】
従来、原稿画像を読み取り画像データに変換して、その画像データをハードディスク等の記憶装置に一旦記憶し、その記憶装置から任意の画像データを繰り返し読み出しプリントアウトする電子ソート機能を備えたデジタル画像処理装置がある。この電子ソート機能を用いて、記憶装置に記憶した原稿画像データの複数の原稿画像を１枚の用紙にページ順にレイアウトする縮小レイアウトモード等の機能を実現している。
【０００３】
このような電子ソート機能を用いて縮小レイアウト等のレイアウト機能を実現する場合において、電子ソート機能の画像データ記憶装置に原稿画像データを記憶する時、原稿毎に記憶装置に記憶する第１の構成と、プリントアウトの出力形態にレイアウトした画像を記憶手段に記憶する第２の構成で実現される。
【０００４】
【発明が解決しようとする課題】
しかし、上記２つの記憶方法による構成によれば、第２の構成では、レイアウトした後に記憶手段に記憶するため、原稿画像読み込み後レイアウトを変更しようとすると、原稿の読み込みから行う必要があり、レイアウトを変更する柔軟性が低くなる。
【０００５】
また、上記第１，第２の構成では、レイアウトの変更を行う場合でも、原稿ページ毎に記憶装置に記憶されているため、容易に実現可能であるが、記憶装置から原稿毎に記憶装置にアクセスするため、処理時間が長くなり全体の出力が終了するまでの時間が長くなり、さらに、すべての原稿を読み込み終了しなければ出力できないため最初の出力が行われるまでの時間も遅くなり、これが全体の出力が終了するまでの時間を長くするという問題がある。
【０００６】
本発明は、上記問題点を解決するためになされたのもで、本発明の目的は、原稿画像の方向に左右されずに、原稿画像読取り後のレイアウト変更という要求との双方を自在に切り換えながら効率よく画像処理を行える仕組を提供することである。
【０００７】
【問題点を解決するための手段】
本発明は、記録媒体に画像を出力する画像出力手段と、複数の画像情報を入力する入力手段と、前記入力手段により入力された画像情報を記憶する記憶手段と、前記記憶手段に記憶された所定数の原稿画像を選択される記録媒体のサイズに応じて確保されるレイアウト領域に展開させるレイアウトモードを設定する設定手段と、前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、前記選択手段の選択結果に基づいて前記第１のレイアウトモードまたは第２のレイアウトモードによるレイアウト処理を切り換え制御する制御手段と、積載されるサイズの異なる複数枚の原稿を順次読取り位置に給送する原稿給送手段と、前記原稿給送手段から給送される原稿を読み取る画像読取り手段と、前記原稿給送手段から給送する原稿枚数を計数する原稿計数モードを設定する原稿計数モード設定手段と、を有し、前記選択手段は、前記原稿計数モード設定手段による前記原稿計数モードの設定状態を判別して第１または第２のレイアウトモードのいずれかを選択することを特徴とする。
【０００８】
また、本発明は、記録媒体に画像を出力する画像出力手段と、複数の画像情報を入力する入力手段と、前記入力手段により入力された画像情報を記憶する記憶手段と、前記記憶手段に記憶された所定数の原稿画像を選択される記録媒体のサイズに応じて確保されるレイアウト領域に展開させるレイアウトモードを設定する設定手段と、前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、前記選択手段の選択結果に基づいて前記第１のレイアウトモードまたは第２のレイアウトモードによるレイアウト処理を切り換え制御する制御手段と、積載されるサイズの異なる複数枚の原稿を順次読取り位置に給送する原稿給送手段と、前記原稿給送手段から給送される原稿を読み取る画像読取り手段と、前記原稿給送手段に積載される原稿束中の先頭原稿から給送可能かどうかを識別する識別手段と、を有し、前記選択手段は、前記識別手段による識別結果に基づいて第１または第２のレイアウトモードのいずれかを選択することを特徴とする。
【０００９】
また、本発明は、記録媒体に画像を出力する画像出力手段と、複数の画像情報を入力する入力手段と、前記入力手段により入力された画像情報を記憶する記憶手段と、前記記憶手段に記憶された所定数の原稿画像を選択される記録媒体のサイズに応じて確保されるレイアウト領域に展開させるレイアウトモードを設定する設定手段と、前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、前記選択手段の選択結果に基づいて前記第１のレイアウトモードまたは第２のレイアウトモードによるレイアウト処理を切り換え制御する制御手段と、積載されるサイズの異なる複数枚の原稿を順次読取り位置に給送する原稿給送手段と、前記原稿給送手段から給送される原稿を読み取る画像読取り手段と、前記読取り手段より読み取った画像の画像方向を検知する画像方向検知手段と、前記画像方向検知手段の検知結果に応じて前記レイアウトモードの画像レイアウト順を制御する第１の制御モードと、前記画像方向検知手段の検知結果によらずに前記レイアウトモードの画像レイアウト順を制御する第２の制御モードの、何れかを指定する指定手段と、を有し、前記選択手段は、前記指定手段に応じて、前記第１のレイアウトモードと第２のレイアウトモードの何れかを選択することを特徴とする。
【００１０】
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定を行う設定手段を有し、前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、更に、原稿画像データの画像方向を判別する画像方向判定手段を有し、前記レイアウト処理を実行可能とし、且つ、前記画像方向判定手段による判定結果に基づいて画像データの回転処理を実行可能とする、ことを特徴とする。
【００１１】
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定を行う設定手段を有し、前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、更に、前記画像処理装置は、前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせる、ことを特徴とする。
【００１２】
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定を行う設定手段を有し、前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にし、更に、前記画像処理装置は、プリント処理がなされたレイアウト処理済の画像データを、前記記憶手段に保持しておき、複数部数分のプリントを行う際に、前記記憶手段から読み出して繰り返し利用可能にする、ことを特徴とする。
【００１３】
また、本発明は、複数ページの原稿画像データを記憶可能なハードディスクを有し、且つ、複数ページの原稿画像データが１枚の用紙にプリントされるようにレイアウト処理が施された画像データを該１枚の用紙に対してプリント可能な画像処理装置であって、前記レイアウト処理を実行せずに前記ハードディスクに原稿画像データを記憶させる指定を行う設定手段を有し、前記設定手段により前記指定がなされた場合に、前記レイアウト処理を実行せずに前記ハードディスクに原稿画像データを記憶して、前記ハードディスクに該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記ハードディスクに記憶して、前記ハードディスクに該画像データを記憶した後はレイアウト処理を実行せずに、前記ハードディスクの該画像データを１枚の用紙にプリント可能にする、ことを特徴とする。
【００１４】
また、本発明は、複数ページの原稿画像データを記憶可能な記憶手段と、コンピュータから出力された画像データを入力する外部Ｉ／Ｆ処理手段と、を有し、該コンピュータから出力された画像データを前記記憶手段を介してプリント可能とし、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定を行う設定手段を有し、前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする、ことを特徴とする。
【００１５】
また、本発明は、複数ページの原稿画像データを記憶可能な記憶手段を有し、且つ、スキャナで読取った画像データを前記記憶手段を介してプリント可能なコピー機能とコンピュータから出力された画像データを前記記憶手段を介してプリント可能なプリント機能とを具備し、且つ、複数ページの原稿画像データが１枚の用紙にプリントされるようにレイアウト処理が施された画像データを該１枚の用紙に対してプリント可能な、画像処理装置であって、前記レイアウト処理を実行せずに前記記憶手段に原稿画像データを記憶させる指定を行う設定手段を有し、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする、ことを特徴とする。
【００１６】
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、操作部を介して操作者により原稿の出力枚数を指定する為の操作を受付ける設定手段を有し、前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、処理すべき原稿の枚数をカウントする原稿枚数カウントモードを設定する設定手段を有し、前記設定手段により前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段により前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、複数ページの原稿画像データを操作者からの指示により１枚ずつ入力する圧板モードを実行可能な圧板モード実行手段を有し、前記圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする。
また本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、更に、前記画像処理方法は、前記レイアウト処理を前記画像処理装置により実行させ、且つ、原稿画像データの画像方向を判別する前記画像処理装置が具備する画像方向判定手段による判定結果に基いて画像データの回転処理を実行させる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、更に、前記画像処理方法は、前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせ、更に、前記画像処理方法は、プリント処理がなされたレイアウト処理済の画像データを、前記記憶手段に保持しておき、複数部数分のプリントを行う際に、前記記憶手段から読み出して繰り返し利用可能にする、ことを特徴とする。
また、本発明は、複数ページの原稿画像データを記憶可能なハードディスクを有し、且つ、複数ページの原稿画像データが１枚の用紙にプリントされるようにレイアウト処理が施された画像データを該１枚の用紙に対してプリント可能な画像処理装置の画像処理方法であって、前記レイアウト処理を実行せずに前記ハードディスクに原稿画像データを記憶させる指定がなされた場合に、前記レイアウト処理を実行せずに前記ハードディスクに原稿画像データを記憶させ、前記ハードディスクに該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記ハードディスクに記憶させ、前記ハードディスクに該画像データを記憶した後はレイアウト処理を実行させずに、前記ハードディスクの該画像データを１枚の用紙にプリントさせる、ことを特徴とする。
また、本発明は、複数ページの原稿画像データを記憶可能な記憶手段と、コンピュータから出力された画像データを入力する外部Ｉ／Ｆ処理手段と、を有し、該コンピュータから出力された画像データを前記記憶手段を介してプリント可能とし、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせる、ことを特徴とする。
また、本発明は、複数ページの原稿画像データを記憶可能な記憶手段を有し、且つ、スキャナで読取った画像データを前記記憶手段を介してプリント可能なコピー機能とコンピュータから出力された画像データを前記記憶手段を介してプリント可能なプリント機能とを具備し、且つ、複数ページの原稿画像データが１枚の用紙にプリントされるようにレイアウト処理が施された画像データを該１枚の用紙に対してプリント可能な、画像処理装置の画像処理方法であって、前記レイアウト処理を実行せずに前記記憶手段に原稿画像データを記憶させる指定がなされた場合に、前記レイアウト処理を実行せずに前記記憶手段に原稿画像データを記憶させ、前記記憶手段に該原稿画像データを記憶した後にレイアウト処理を実行させ、そのうえで、１枚の用紙に該レイアウト処理が施された画像データをプリントさせ、前記指定がなされていない場合に、前記レイアウト処理が施された画像データを前記記憶手段に記憶させ、前記記憶手段に該画像データを記憶した後はレイアウト処理を実行させずに、前記記憶手段の該画像データを１枚の用紙にプリントさせる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、操作部を介して操作者により原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、処理すべき原稿の枚数をカウントする原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、複数ページの原稿画像データを操作者からの指示により１枚ずつ入力する圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする。
また、本発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置の画像処理方法であって、複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる、ことを特徴とする。
【００１７】
【発明の実施の形態】
〔第１実施形態〕
図１は、本発明の第１実施形態を示す画像処理装置の構成を説明する断面図である。
【００１８】
図において、１００は複写装置本体、１８０は循環式自動原稿送り装置（ＲＤＦ）である。１０１は原稿載置台としてのプラテンガラスで、１０２はスキャナで、原稿照明ランプ１０３，走査ミラー１０４等で構成され、不図示のモータによりスキャナ１０２が所定方向に往復走査されて原稿の反射光を走査ミラー１０４〜１０６を介してレンズ１０８を透過してＣＣＤセンサ（イメージセンサ部）１０９に結像する。
【００１９】
１２０はレーザ，ポリゴンスキャン等で構成された露光制御部で、イメージセンサ部１０９で電気信号に変換され、後述する所定の画像処理が行われた画像信号に基づいて変調されたレーザ光１２９を感光体ドラム１１０に照射する。感光体ドラム１１０の回りには、１次帯電器１１２，現像器１２１，転写帯電器１１８，クリーニング装置１１６，前露光ランプ１１４が装備されている。
【００２０】
画像形成部１２６において、感光体ドラム１１０は不図示のモータにより図に示す矢印の方向に回転しており、１次帯電器１１２により所望の電位に帯電された後、露光制御部１２０からのレーザ光１２９が照射され、静電潜像が形成される。感光体ドラム１１０上に形成された静電潜像は、現像器１２１により現像されて、トナー像として可視化される。
【００２１】
一方、上段カセット１３１あるいは下段カセット１３２からピックアップローラ１３３，１３４により給紙された転写紙は、給紙ローラ１３５，１３６により本体１００に送られ、レジストローラ１３７により転写ベルトに給送され、可視化されたトナー像が転写帯電器１１８，１１９により転写紙に転写される。転写後の感光体ドラム１１０は、クリーニング装置１１６により残留トナーが清掃され、前露光ランプ１１４により残留電荷が消去される。転写後の転写紙は、転写ベルト１３０から分離され、定着前帯電器１３９，１４０によりトナー像が再帯電され、定着器１４１に送られ加圧，加熱により定着され、排出ローラ１４２により本体１００の外に排出される。
【００２２】
本体１００には、例えば４０００枚の転写紙を収納し得るデッキ１５０が装備されている。デッキ１５０のリフタ１５１は、給紙ローラ１５２に転写紙が常に当接するように転写紙の量に応じて上昇する。
【００２３】
また、１００枚の転写紙を収容し得る、マルチ手指し１５３が装備されている。さらに、図１において、１５４は排紙フラッパであり、両面記録側ないし多重記録側と排紙側の経路を切り替える。排出ローラ１４２から送り出された転写紙は、この排紙フラッパ１５４により両面記録側ないし多重記録側に切り替えられる。また、１５８は下搬送パスであり、排出ローラ１４２から送り出された転写紙を反転パス１５５を介し、転写紙を裏返して再給紙トレイ１５６に導く。また、１５７は両面記録と多重記録の経路を切り替える多重フラッパであり、これを左方向に倒すことにより、転写紙を反転パス１５５に介さず、直接下搬送パス１５８に導く。
【００２４】
１５９は経路１６０を通じて転写紙を感光体ドラム１１０側に給紙する給紙ローラである。１６１は排紙フラッパ１５４の近傍に配置されて、この排紙フラッパ１５４により排出側に切り替えられた転写紙を機外に排出する排出ローラである。両面記録（両面複写）や多重記録（多重複写）時には、排紙フラッパ１５４を上方に上げて、複写済みの転写紙を反転パス１５５，下搬送パス１５８を介して裏返した状態で再給紙トレイ１５６に格納する。
【００２５】
このとき、両面記録時には、多重フラッパ１５７を右方向へ倒し、また多重記録時には、再給紙トレイ１５６に格納されている転写紙が、下から１枚ずつ給紙ローラ１５９により経路１６０を介して本体のレジストローラ１３７に導かれる。本体１００から転写紙を判定して排出する時には、排紙フラッパ１５４を上方へ上げ、多重フラッパ１５７を右方向へ倒し、複写済みの転写紙を反転パス１５５側へ転送し、転写紙の後端が第１の送りローラ１６２を通過した後に、反転ローラ１６３によって第２の送りローラ１６２ａ側へ搬送し、排出ローラ１６１によって、転写紙を裏返して機外へ排出される。
【００２６】
図２は、図１に示した画像処理装置の操作部の一例を示す平面図である。
【００２７】
図２において、７００は操作部を示し、操作部７００において、４５１はテンキーであり、画像形成枚数の設定やモード設定の数値入力に使用する。４５２はクリア／ストップキーであり、設定された画像形成枚数や画像形成動作の停止を行うために使用する。４５３はリセットキーであり、設定された画像形成枚数や動作モードや選択給紙等のモードを規定値に戻すためのものである。４５４はスタートキーであり、このスタートキー４５４の押下により画像形成動作を開始する。
【００２８】
４６９は液晶等で構成される表示パネルであり、詳細なモード設定（例えば、レイアウトモード等の設定を含む）を容易にするべく、設定モードに応じて表示内容が変わる。本実施形態では、カーソルキー４６６〜４６８で表示パネル４６９上のカーソルを移動させ、ＯＫキー４６４によって設定を決定させる。この設定方法はタッチパネルで構成することも可能である。
【００２９】
４７１は紙種設定キーであり、標準より厚い記録材へ画像形成を行う時設定する。紙種設定キー４７１によって厚紙モードが設定されると、ＬＥＤ４７０が点灯するように制御される。本実施形態では、厚紙モードの設定のみ可能であるが、必要に応じて、ＯＨＰやその他の特殊紙用のモードの設定が可能となるように機能を拡張することもできる。
【００３０】
４７５は両面モード設定キーであり、例えば片面原稿から片面出力を行う「片−片モード」、片面原稿から両面出力を行う「片−両モード」、両面原稿から両面出力を行う「両−両モード」、両面原稿から２枚の片面出力を行う「両−片モード」の４種類の両面モードの設定が可能である。ＬＥＤ４７２〜４７４は、設定された両面モードに応じて点灯し、「片−片モード」ではＬＥＤ４７２〜４７４は全て消灯し、「片−両モード」ではＬＥＤ４７２のみ点灯し、「両−両モード」ではＬＥＤ４７３のみ点灯し、「両−片モード」ではＬＥＤ４７４のみが点灯するように制御される。
【００３１】
また、４００は縮小キー、４０２は拡大キーで、定型変倍の縮小，拡大を選択するときに押す。４０１は等倍キーで、等倍（１００％）を選択するときに押す。４０３はカセット選択キーで、オート用紙選択および図１で示したカセット１３１，１３２，デッキ１５０，マルチ手差し１５３等を選択するときに押す。４０４，４０６はコピー濃度キーで、濃くするときはコピー濃度キー４０４を、薄くするときはコピー濃度キー４０６を押す。４０７はコピー濃度表示部で、濃度キー４０４，４０６で設定されたコピー濃度を表示する。
【００３２】
図３は、図１に示した画像処理装置の制御構成を説明するブロック図であり、図１と同一のものには同一の符号を付してある。
【００３３】
図３において、２０１は画像読み取り部で、ＣＣＤセンサ１０９，アナログ信号処理部２０２等により構成され、レンズ１０８を介しＣＣＤセンサ１０９に結像された原稿画像は、ＣＣＤセンサ１０９により、アナログ電気信号に変換され、該変換された画像情報は、アナログ信号処理部に入力され、サンプル＆ホールド，ダークレベルの補正等が行われた後に、アナログ・ディジタル変換（Ａ／Ｄ変換）される。ディジタル化された信号は、シェーディング補正（原稿を読み取るセンサのばらつき、および原稿照明用ランプの配光特性の補正），変倍処理後、電子ソータ部２０３に入力される。
【００３４】
２０９は外部Ｉ／Ｆ処理部で、外部のコンピュータから入力された画像情報を展開し、画像データとして電子ソータ部２０３に入力される。電子ソータ部２０３では、γ補正等の出力系で必要な補正処理や、スムージング処理，エッジ強調，その他の処理，加工等が行われ、プリンタ部２０４に出力される。プリンタ部２０４は、図１に示したようにレーザ等からなる露光制御部１２０，画像形成部１２６，転写紙の搬送制御部等により構成され、入力された画像信号により転写紙上に画像を記録する。
【００３５】
また、ＣＰＵ回路部２０５は、ＣＰＵ２０６，ＲＯＭ２０７，ＲＡＭ２０８等により構成され、画像読み取り部２０１，電子ソータ部２０３，プリンタ部２０４等を制御し、本装置のシーケンスを統括的に制御する。
【００３６】
図４は、図３に示した電子ソータ部２０３の詳細構成を示すブロック図である。以下、構成および動作について説明する。
【００３７】
図において、画像読み取り部２０１から送られたデータは、Ｂｌａｃｋの輝度のデータとして入力され、ｌｏｇ変換部３０１に送られる。ｌｏｇ変換部３０１では、入力された輝度データを濃度データに変換するためのルックアップテーブル（ＬＵＴ）が格納されており、入力されたデータに対応するテーブル値を出力することによって、輝度データを濃度データに変換する。その後、濃度データは２値化部３０２で２値化され、濃度値が「０」あるいは「２５５」となる。８ｂｉｔの画像データは、２値化され「０」または「１」の１ｂｉｔの画像データに変換され、メモリに格納する画像データ量は小さくなる。
【００３８】
しかし、画像を２値化すると、画像の階調数は２５６階調から２階調になるため、写真画像のような中間調の多い画像データは２値化すると一般に画像の劣化が著しい。そこで、２値データによる擬似的な中間調表現をする必要がある。
【００３９】
ここでは、２値のデータで擬似的な中間調表現を行う手法として誤差拡散法を用いる。この方法は、ある画像の濃度があるしきい値より大きい場合は「２５５」の濃度データであるとし、あるしきい値以下である場合は「０」の濃度データであるとして２値化した後、実際の濃度データと２値化されたデータの差分を誤差信号として、回りの画素に配分する方法である。誤差の配分は、あらかじめ用意されているマトリクス上の重み計数を２値化によって生じる誤差に対して掛け合わせ、回りの画素に加算することによって行う。これによって、画像全体での濃度平均値が保存され、中間調を擬似的に２値で表現することができる。
【００４０】
そして、２値化部３０２で２値化された画像データは、制御部３０３に送られる。また、外部Ｉ／Ｆ処理部２０９から入力される、コンピュータ等からの画像データは、外部Ｉ／Ｆ処理部２０９で２値画像データとして処理されているため、そのまま制御部３０３に送られる。制御部３０３では、本体からの指令により、コピーを行う原稿の画像を画像記憶部３０４に一旦すべて格納したり、画像記憶部３０４から画像データを順次読み出して出力する。
【００４１】
なお、画像記憶部３０４はＳＣＳＩコントローラとハードディスク（メモリ）を有し、ＳＣＳＩコントローラからの指令に従い、ハードディスクに画像データを書き込む。ハードディスクに格納された複数の画像データは、複写機の操作部７００で指定された編集モードに応じた順序で出力される。例えば、ソートの場合、ＲＤＦ１８０から原稿束の最終ページから最初のページに向かって順に読み込み、一旦ハードディスクを備える画像記憶部３０４に格納する。そして、最終ページから最初のページに向かって順番にハードディスクから一旦格納された原稿の画像データを読み出し、これを複数回繰り返して出力する。これにより、排紙ビンを複数備えるソータと同じ役割を果たすことができる。
【００４２】
画像記憶部３０４から呼び出された画像データは平滑化部３０５に送られる。平滑化部３０５では、まず、１ｂｉｔのデータを８ｂｉｔのデータに変換し、画像データの信号を「０」または「２５５」の状態にする。変換された画像データは、あらかじめ決められたマトリスク上の係数と、近傍画素の濃度値をそれぞれ乗算したものの総和で得られる、重みづけされた平均値に置き換えられる。これによって２値のデータは近傍の画素における濃度値に応じて多値のデータに変換され、読み取られた画像により近い画質が再現できる。
【００４３】
そして、平滑化された画像データは、γ補正部３０６に入力される。γ補正部３０６では濃度データを出力する際に、プリンタの特性を考慮したルックアップテーブル（ＬＵＴ）による変換を行い、操作部７００で設定された濃度値に応じた出力の調整を行う。
【００４４】
画像方向判定部３０７は、画像読み取り部２０１からの画像を受け文字方向を判定して、原稿画像の方向を判別する。
【００４５】
以下、図５〜図１１を参照して、図４に示した画像方向判定部３０７による画像方向検知方法について説明する。
【００４６】
図５は、図４に示した画像方向判定部３０７の構成を説明するブロック図である。
【００４７】
図において、８０１は画像入力部で、図４に示した画像読み取り部２０１からの画像データが入力される。８０２はＣＰＵ／メモリ部で、画像方向検知処理を行うとともに、画像方向を判別するに必要な画像データの解像度に変換して一時的に保存するためにある。
【００４８】
８０３は文字認識／方向判別部で、文書の方向を一番正確に表わしているのは文字であることに着目し、文書中の数種類の文字領域を０°，９０°，１８０°，２７０°の方向から文字認識を行い、それら各方向における文字認識の精度（文字認識の自信度：文字の特徴分布に対する距離）の中で一番精度の高い方向を文書方向とする。
【００４９】
領域分離部８０４は、文字認識／方向判別部８０３による文字認識／方向判別処理を行うための前処理として、文書画像データより、文字部，図形部，自然画部，表部などを矩形の領域に分離して、各領域の属性（文字部など）を付加する処理を行うブロックである。
【００５０】
図６は、図４に示した画像方向判定部３０７による方向判定処理動作を説明する図である。
【００５１】
図７は、図４に示した画像方向判定部３０７による方向判定処理手順の一例を示すフローチャートであり、文書方向判別処理，領域分離情報の補正処理，文字認識処理等を含んでいる。なお、（１）〜（８）は各ステップを示す。
【００５２】
ステップ（１）で、図５に示した画像入力部８０１により入力された画像データ（多値画像）は、まず、領域分離部８０４により、文字部，図形部，自然画部，表部などの属性別に矩形の領域に分離される（２）。ここでは、実際には、矩形で囲まれた領域情報を作成する。
【００５３】
次に、各属性より文字領域の矩形を抽出（文字部の検出）する（３）。ここで、文字領域とは、文章部、タイトル部、表中の文字、図のキャプション部などである。
【００５４】
例えば図６の（ａ），（ｃ）の文書は、それぞれ図６の（ｂ），（ｄ）に示したような文字領域の矩形が抽出される。そして、これらの中の数ブロックを用いて、文書方向判別を行う（４）。その結果、文書方向が正方向であれば、引き続き画像中の文字ブロックに対して文字認識処理を行う（７）。
【００５５】
一方、ステップ（４）で、文書方向が不正方向であれば、画像データを正しい方向に回転させる（５）。そして、回転画像に対して領域分離を行い、領域分離情報の補正を行う（６）。これは、画像回転に伴う領域情報の相違を補正するもので、１つの方法としては、全回転画像データに対して再び領域分離処理を行う方法であり、もう１つの方法としては、アドレス変換を領域分離結果にかける方法がある。
【００５６】
領域分離処理は、一般に画像が正方向を想定しているため、初期の段階で行った領域分離処理と回転画像データに対して行った領域分離処理は、結果が異なることが多い。それゆえ、前者の方法が採られるのが望ましい。
【００５７】
次に、ステップ（７）に進んで、回転画像データ中の文字領域ブロックは、文字認識処理系で文字認識される。この結果、最終的に、回転なし／回転ありの両方の場合とも、領域分離情報と文字認識情報が得られる（８）。この処理結果は、図３で示したＣＰＵ回路部２０５へ通知する。ＣＰＵ回路部２０５は、この文字認識情報の結果を用いて、画像回転等を行い排紙処理部の綴じ位置などの制御を行ったりする。
【００５８】
次に、文字認識処理を用いた文書方向判別の手法について図８，図９を参照して説明する。
【００５９】
図８，図９は、図５に示した文字認識／方向判別部８０３による文書方向判別処理手順を説明する図である。
【００６０】
領域分離処理は、文書画像データの黒画素を検出してゆき、輪郭線追跡またはラベリング方式により、黒画素ブロックの矩形枠を作成する。次に、その矩形のなかの黒画素密度、隣接矩形ブロックの有無、矩形の縦横比率等を判断基準にして、文字領域（タイトル、本文、キャプション）、図形領域、自然画領域、表領域などを判別する。この判別処理結果により、文字領域の矩形情報が判別される。
【００６１】
文字認識処理は、文字認識処理の１つの方法として、特徴ベクトル抽出、比較方式がある。
【００６２】
例えば、図８の（ａ）に示したように、「本」という文字を含む文字領域が判別されたとすると、図８の（ｂ）に示すように、第１段階として、この文字領域について文字切り出し処理を行う。これは、１つの文字の矩形を切り出す処理で、黒画素連続性の状態を検出していけば求められる。第２段階として、図８の（ｃ）に示すように、１文字をｍ×ｎ（例えば６４×６４）の画素ブロックに切り出す。そして、その中から３×３画素のウインドウを用いて、黒画素の分布方向を図８の（ｄ）に示す方向ベクトル情報として抽出する。なお、図８の（ｄ）は、方向ベクトル情報の一部を例示したものであり、上記３×３画素のウインドウをずらしてゆき、方向ベクトル情報を数十個得る。これらの方向ベクトル情報が文字の特徴となる。この特徴ベクトルと予め記憶されている文字認識辞書の内容とを比較して、特徴ベクトルに特徴が一番近い文字から順番に文字を抽出する。この場合、特徴ベクトルに特徴が近い順番に第１候補，第２候補，第３候補，……となる。この特徴ベクトルに対する特徴の近さが、その文字に対する距離の近さ、すなわち文字認識の自信度（精度）という数値となる。
【００６３】
文字方向判別処理は、このようにして文字認識の自信度が求められるが、その自信度に基づいた文字方向判別処理を、図９に示した「本発明の名称」という文例を用いて説明する。
【００６４】
図９の（ａ）は正方向の文、図９の（ｂ）は２７０°回転した文である。ここで、文中の「本」に注目すると、文字方向を判別する場合は、図９の（ｃ）に示したように、１つの文字「本」について０°，９０°，１８０°，２７０°の４方向から文字認識を行ってみる。各回転角度は、文字矩形の領域の読み出し方を変更すればよく、特に、原稿を回転する必要はない。各回転角度における文字認識結果は、図９の（ｃ）に示したように、互いに異なっている。なお、図９の（ｃ）には、説明用の仮の文字認識結果および自信度が示されており、現実にこの通りになるとは限らない。
【００６５】
図９の（ｃ）において、正方向（０°）から文字認識を行った場合は、「本」と正しく認識され、自信度も「０．９０」と高い値となる。
【００６６】
一方、９０°回転した方向から文字認識を行った場合は、「町」と誤認識され、自信度も「０．４０」と低下する。このように誤認識が発生し、自信度も低下するのは、回転した方向から見た場合の特徴ベクトルに基づいて文字認識を行ったからである。同様に、１８０°，２７０°方向から文字認識を行った場合も、誤認識が発生し、自信度も低下する。
【００６７】
なお、文字認識の方向別の自信度は、複雑な文字であればある程、その差が顕著に現れてくる。図９の（ｃ）の結果は、正方向の場合に自信度が一番高いため、文書は正方向に向いている可能性が高いと判断される。文字方向判別の精度を向上させるため、同一ブロック内の複数の文字について、同様に４方向から文字認識を行ってみる。さらに、１つのブロックだけで文字方向を判別した場合、特殊な文字列について文字方向を誤って判別する虞があるので、複数のブロックについて同様の文字認識を行ってみる。そして、各ブロックについて、当該ブロック内の各認識対象文字の４方向別の自信度の平均値を求め、さらに、各ブロックでの４方向別の自信度の平均値に対する平均値を求め、この平均値が最も高い方向を文字方向（文書方向）として認定する。このようにして、１文字だけの自信度で文字方向を認定することなく、同一ブロック内の複数文字、さらには、同一ブロック内の複数文字の自信度で文字方向を認定することにより、文字（文書）方向を高精度に判別することが可能となる。
【００６８】
ただし、１文字だけの自信度で文字方向を判別したり、或いは同一ブロック内の複数文字の自信度で文字方向を判別しても、従来よりも高精度に文字方向を判別することができることはいうまでもない。
【００６９】
しかし、画像方向を判定する処理として、一度文字認識を行い、その後判定処理するため、画像読み込みと同時に行うことはできない。
【００７０】
図１０は、図４に示した制御部３０３の構成を示すブロック図である。以下、構成および動作について説明する。
【００７１】
図において、５０１は画像メモリ部で、ＤＲＡＭ等のメモリで構成され、メモリアクセス制御部５０２を介して２値化部３０２からのビデオ書き込み信号，平滑化部３０５へのビデオ読み出し信号、画像記憶部３０４への画像入出力信号のアクセスが行われる。５０２はメモリアクセス制御部で、画像メモリ部５０１のＤＲＡＭリフレッシュ信号の発生を行い、また２値化部３０２，平滑化部３０５，画像記憶部３０４からの画像メモリ部５０１への信号の調停を行う。更に、処理制御部５０３の指示に従い、画像メモリ部５０１への書き込みアドレス，読み出しアドレス，読み出し方向などを制御する。
【００７２】
これにより、処理制御部５０３は画像メモリ部５０１に複数の原稿画像を並べてレイアウトを行い、プリンタ部２０４に出力する機能や、画像の一部分のみ切り出して出力する機能や、画像回転機能を制御する。
【００７３】
以下、本実施形態と第１〜第９の発明の各手段との対応及びその作用について図１〜図４，図１０等を参照して説明する。
【００７４】
第１の発明は、記録媒体に画像を出力する画像出力手段（プリンタ部２０４）と、複数の画像情報を入力する入力手段（画像読み取り部２０１等を含む入力手段）と、前記入力手段により入力された画像情報を記憶する記憶手段（電子ソータ部２０３内の画像記憶部３０４）と、前記記憶手段に記憶された所定数の画像情報を選択される記録媒体のサイズに応じて確保されるレイアウト領域に展開させるレイアウトモードを設定する設定手段（操作部７００）と、前記設定手段により前記レイアウトモードが設定された場合に、前記入力手段から入力した画像情報を前記記憶手段に記憶させる際にレイアウトする第１のレイアウトモードと、前記記憶手段から読み出した画像情報を前記画像出力手段から出力させる際にレイアウトする第２のレイアウトモードとのいずれかを選択する選択手段（ＣＰＵ回路部２０５のＣＰＵ２０６がＲＯＭ２０７に記憶された制御プログラムを実行して選択処理する）と、前記選択手段の選択結果に基づいて前記第１のレイアウトモードまたは第２のレイアウトモードによるレイアウト処理を切り換え制御する制御手段（電子ソータ部２０３の制御部３０３）とを設け、操作部７００により前記レイアウトモードが設定された場合に、画像読み取り部２０１等を含む入力手段から入力される画像情報を画像記憶部３０４に記憶させる際にレイアウトする第１のレイアウトモードと、画像記憶部３０４から読み出した画像情報をプリンタ部２０４から出力させる際にレイアウトする第２のレイアウトモードとのいずれかを選択し、該選択結果に基づいて前記第１のレイアウトモードまたは第２のレイアウトモードによるレイアウト処理を制御部３０３がＣＰＵ２０６の指示で切り換え制御するので、画像入力後のレイアウト変更に柔軟に対応するという要求と、原稿画像のレイアウト出力を高速に得るという要求との双方を自在に切り換えながら効率よく画像処理を行える。
【００７５】
第２〜第５の発明は、積載されるサイズの異なる複数枚の原稿を順次読取り位置に給送する原稿給送手段（ＲＤＦ１８０）と、前記原稿給送手段から給送される原稿を読み取る画像読取り手段（画像読み取り部２０１）とを備え、ＣＰＵ２０６は、操作部７００上のモードキーによる前記原稿計数モードの設定状態を判別して第１または第２のレイアウトモードのいずれかを選択するので、原稿枚数を計数するモードに最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
【００７６】
第６〜第８の発明は、ＣＰＵ２０６は、ＲＤＦ１８０の識別情報を認識して先頭原稿給送可能性を識別し、該識別結果に基づいて第１または第２のレイアウトモードのいずれかを選択するので、原稿給送装置が先頭原稿を給送可能か否かを識別して最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
【００７７】
第９の発明は、画像読取り部２０１より読み取った画像の画像方向を検知する画像方向検知手段（画像方向判定部３０７）の検知結果に応じて、操作部７００が前記レイアウトモードの画像レイアウト順を制御する第１の制御モードと、前記画像方向検知手段の検知結果によらず、前記レイアウトモードの画像レイアウト順を制御する第２の制御モードとを指定し、該指定に応じて、ＣＰＵ２０６が前記第１のレイアウトモードと第２のレイアウトモードの何れかを選択するので、方向検知結果に応じてレイアウト順が制御される場合には、レイアウトを柔軟にコントロールでき、レイアウト順が既に決定されている場合には、高速制御および記憶手段における使用量の節約ができる。
【００７８】
図１１は、本発明に係る画像処理装置における第１のレイアウト処理手順の一例を示すフローチャートである。なお、（１）〜（１９）は各ステップを示し、画像縮小レイアウト時の処理制御部５０３の処理に対応する。また、本処理はメインのシーケンスより、一定時間毎にまたは必要に応じて呼ばれる。
【００７９】
まず、ステップ（１）で縮小レイアウトモードか否かを判断し、縮小レイアウトモードで無いと判定した場合は、他のモード処理であるため、本処理を抜ける（リターン）。ここで、縮小レイアウトとは、原稿画像を記録材に複数並べて出力するモードであり、原稿の１ページから順にならべて出力する。例えば、４ｉｎ１縮小レイアウトとは、４枚の原稿画像を１枚の記録材に重ならないようにレイアウトする。
【００８０】
ステップ（１）でＹＥＳと判定された場合には、ステップ（２）では縮小レイアウトモードにおいて、画像形成，画像読み込み開始前に原稿をカウントする設定であるか否か判断する。原稿カウントモードであると判定された場合はステップ（３）へ移行し、原稿カウントモードでない場合はステップ（１２）へ移行する。
【００８１】
ステップ（３）では原稿カウントを開始し、ステップ（４）へ移行し、ステップ（４）では原稿カウントが終了したか否か、判断する。ステップ（４）で原稿カウントが終了していない場合は原稿カウント終了まで待つ。
【００８２】
そして、ステップ（４）で原稿カウントが終了したと判定された場合はステップ（５）に進み、原稿の読み込み動作を開始し、ステップ（６）へ移行する。ステップ（６）では縮小レイアウトのレイアウト枚数Ｎページ、上記４ｉｎ１縮小レイアウトの場合は４枚の原稿画像を読み込み、画像メモリ部５０１でレイアウトする。
【００８３】
その後、ステップ（７）へ移行し、画像メモリ部５０１でレイアウトした記録材１ページの画像をプリンタ部２０４に出力し、更に、画像記憶部３０４のハードディスク（ＨＤ）に画像を記憶する。その後ステップ（８）へ移行し、原稿が全て読み込めたか判断し、全ての原稿の読み込みが終了していないと判定した場合は、ステップ（６）へ戻り、原稿の読み込みを繰り返す。
【００８４】
一方、ステップ（８）で原稿の読み込みが終了していると判定した場合はステップ（９）へ進み、操作部７００により設定されたコピー部数分の出力が終了したかどうかを判断し、コピー部数分の出力が終了していると判定した場合は、処理を終了する。
【００８５】
一方、ステップ（９）でコピー部数分の出力が終了していないと判定した場合はステップ（１０）へ進み、画像記憶部３０４のハードディスクに記憶した、記録材に出力する画像形態の画像を読み出し、画像メモリ部５０１へ展開し、プリンタ部２０４へ出力する。その後ステップ（１１）へ移行し、全ての原稿画像が画像記憶部３０４のハードディスクから読み出されプリンタ部２０４に出力されたか否かを判断し、全ての原稿画像が出力されていないと判定した場合はステップ（１０）へ戻り、画像記憶部３０４からプリンタ部２０４への出力を繰り返す。この時、ステップ（１０）での出力枚数，画像記憶部３０４からの画像読み出しの繰り返し回数は、原稿枚数を縮小レイアウトのレイアウト枚数Ｎで割った値となる。一方、ステップ（１１）で全ての原稿画像が終了していると判定した場合はステップ（９）へ戻り、出力部数終了したか判断する。
【００８６】
一方、ステップ（２）で原稿カウントモードでないと判定された場合は、ステップ（１２）に進み、縮小レイアウトの設定において、原稿枚数が操作者に指定入力されているかどうかを判断し、操作者により原稿枚数指定入力されていると判定した場合はステップ（５）へ移行し、原稿枚数をカウントした場合と同じ処理を行う。
【００８７】
一方、ステップ（１２）で原稿枚数が指定されていないと判定した場合は、ステップ（１３）へ移行し、原稿画像を読み込み、ステップ（１４）で画像記憶部３０４へ記憶する。その後、ステップ（１５）へ移行し、原稿全ての画像の読み込みが終了しているかどうかを判定し、読み込みが終了していないと判定された場合は、ステップ（１３）へ戻り、原稿の読み込みを繰り返し、読み込みが終了していると判定された場合には、ステップ（１６）へ移行し、画像記憶部３０４から画像を読み出し、制御部３０３内の画像メモリ部５０１に画像をレイアウトしていく。Ｎページの原稿画像分を画像メモリ部５０１にレイアウトすると、ステップ（１７）へ移行し、レイアウトされた画像をプリンタ部２０４へ出力する。
【００８８】
その後、ステップ（１８）へ移行し、原稿枚数分出力したか否か判断し、原稿枚数分出力していないと判定した場合は、ステップ（１６）へ戻り、全ての原稿を出力するまで繰り返す。
【００８９】
一方、ステップ（１８）で原稿枚数分出力していると判定した場合はステップ（１９）へ移行し、操作部７００で設定された出力部数分出力したか否か判断し、出力部数分出力していないと判定した場合はステップ（１６）へ戻り、設定部枚数分出力するまで、ステップ（１６）〜ステップ（１８）を繰り返す。
【００９０】
一方、ステップ（１９）で設定部数分出力していると判定した場合は処理を終了する。
【００９１】
なお、上記フローチャート内では詳述していないが、原稿枚数がＮの整数倍でない時、最終原稿を含む用紙の出力には、残りを白紙でレイアウトするものとする。
【００９２】
以上述べたように、原稿カウントモードか、操作者により原稿枚数指定がされている場合は、原稿読み込み時に、画像レイアウトを行い、画像記憶部３０４にレイアウト画像を記憶する。
【００９３】
一方、原稿をカウントモードで無い場合で、操作者により指定もされていない場合は、原稿を読み込み、まず、画像記憶部３０４に画像を記憶する。その後、全ての原稿画像の読み込みが終了してから、画像記憶部３０４から、画像を読み出し、レイアウトを行い画像を出力する。
【００９４】
なお、本実施形態では縮小レイアウトモードで述べたが、その他のレイアウトモードでも同様である。
【００９５】
〔第２実施形態〕
上記第１実施形態では、操作部７００上での原稿カウントモードの設定状態に基づいて第１のレイアウトモードと第２のレイアウトモードとのいずれかを選択する場合について説明したが、ＲＤＦ１８０の原稿台に積載される原稿束中の先頭原稿給送可能性を判定して、第１のレイアウトモードと第２のレイアウトモードとのいずれかを選択しながらレイアウト出力処理を制御するように構成してもよい。以下、その実施形態について説明する。
【００９６】
図１２は、本発明に係る画像処理装置における第２のレイアウト処理手順の一例を示すフローチャートである。なお、（１）〜（１８）は各ステップを示し、画像縮小レイアウト時の処理制御部５０３の処理に対応する。また、本処理はメインのシーケンスより、一定時間毎にまたは必要に応じて呼ばれる。
【００９７】
まず、ステップ（１）で縮小レイアウトモードか否か判断し、縮小レイアウトモードで無い場合は、他のモード処理であるため、本処理を抜ける（リターン）。ここで、縮小レイアウトとは、原稿画像を記録材に複数ならべて出力するモードであり、原稿の１ページから順にならべて出力する。例えば、４ｉｎ１縮小レイアウトとは、４枚の原稿画像を１枚の記録材にかさならないようにレイアウトする。
【００９８】
ステップ（２）では操作者によりレイアウトを読み込み終了後に再設定可能にするモードを指定されているか否か判断し、指定されていると判定された場合は、ステップ（１２）へ移行する。
【００９９】
一方、ステップ（２）で指定されていないと判定した場合は、ステップ（３）へ移行し、縮小レイアウトモードにおいて、原稿を１枚ずつ操作者によりプラテンガラス上に置き、読み込むモード（圧板モード）であるか否か判断し、圧板モードであると判定した場合は、１ページ目から順に読み込むようにメッセージを操作部７００の表示パネル４６９に表示し、ステップ（５）へ移行する。
【０１００】
一方、ステップ（３）で圧板モードでないと判定した場合はステップ（４）へ移行し、ＲＤＦ１８０が原稿の先頭ページから読めるモードを有しているかＲＤＦ１８０の機種コードを読み出して判断し、ＲＤＦ１８０が先頭ページから読み込み不可能であると判定した場合は、ステップ（１２）へ移行する。
【０１０１】
一方、ステップ（４）でＲＤＦ１８０が先頭ページから読み込み可能な機能を有していると判定した場合は、ステップ（５）へ移行し、原稿の読み込み動作を開始し、ステップ（６）へ移行する。ここで、圧縮モードの場合はＮページの原稿読み込みを１ページずつ操作者に開始指示させる。
【０１０２】
ステップ（６）では縮小レイアウトのレイアウト枚数Ｎページ、上記４ｉｎ１縮小レイアウトの場合は４枚の原稿画像を読み込み、画像メモリ部５０１でレイアウトする。その後、ステップ（７）へ移行し、画像メモリ部５０１でレイアウトした記録材１ページの画像をプリンタ部２０４に出力し、更に、画像記憶部３０４のハードディスクに画像を記憶する。その後、ステップ（８）へ移行し、原稿が全て読み込めたかどうかを判断し、ＮＯならばステップ（６）へ戻り、原稿の読み込みを繰り返す。
【０１０３】
一方、ステップ（８）で原稿の読み込みが終了していると判定した場合はステップ（９）へ移行し、操作部７００により設定されたコピー部数分の出力が終了したかどうかを判断し、コピー部数分の出力が終了していると判定した場合は、処理を終了する。
【０１０４】
一方、ステップ（９）でコピー部数分の出力が終了していないと判定した場合はステップ（１０）へ移行し、画像記憶部３０４のハードディスクに記憶した、記録材に出力する画像形態の画像を読み出し、画像メモリ部５０１へ展開し、プリンタ部２０４へ出力する。その後、ステップ（１１）へ移行し、全ての原稿画像が画像記憶部３０４のハードディスクから読み出されプリンタ部２０４に出力されたか否かを判断し、全ての原稿画像が出力されていないと判定した場合はステップ（１０）へ戻り、画像記憶部３０４からプリンタ部２０４への出力を繰り返す。この時、ステップ（１０）で出力枚数，画像記憶部３０４からの画像読み出しの繰り返し回数は、原稿枚数を縮小レイアウトのレイアウト枚数Ｎで割った値となる。
【０１０５】
一方、ステップ（１１）で全ての原稿画像が終了していると判定した場合はステップ（９）へ戻り、出力部数終了したかどうかを判断する。
【０１０６】
一方、ステップ（２）でレイアウト指定モードが指定されていないと判定された場合及び、ステップ（４）でＲＤＦ１８０が先頭ページから読み込み不可能であると判定した場合は、ステップ（１２）へ移行し、原稿画像を読み込み、ステップ（１３）で画像記憶部３０４へ記憶する。その後、ステップ（１４）へ移行し、原稿全ての画像を読み込みが終了しているかどうかを判定し、読み込みが終了していないと判定された場合は、ステップ（１２）へ戻り、原稿の読み込みを繰り返す。ここで、圧板モードの場合はＮページの原稿読み込みを１ページずつ操作者に開始指示させる。
【０１０７】
一方、ステップ（１４）で読み込みが終了していると判定された場合には、ステップ（１５）へ移行し、画像記憶部３０４から画像を読み出し、制御部３０３内の画像メモリ部５０１に画像をレイアウトしていく。Ｎページの原稿画像分を画像メモリ部５０１にレイアウトすると、ステップ（１６）へ移行し、レイアウトされた画像をプリンタ部２０４へ出力する。
【０１０８】
その後、ステップ（１７）へ移行し、原稿枚数分出力したか否か判断し、原稿枚数分出力していないと判定した場合は、ステップ（１５）へ戻り、全ての原稿が出力するまで繰り返す。
【０１０９】
一方、ステップ（１７）で原稿枚数分出力していると判定した場合はステップ（１８）へ移行し、操作部７００で設定された出力部数分出力したか否か判断し、出力部数分出力していないと判定した場合はステップ（１５）へ戻り、設定部枚数分出力するまで、ステップ（１５）〜ステップ（１７）を繰り返す。
【０１１０】
一方、ステップ（１８）で設定部数分出力していると判定した場合は処理を終了する。
【０１１１】
なお、上記フローチャート内では詳述していないが、原稿枚数がＮの整数倍でない時、最終原稿を含む用紙の出力には、残りを白紙でレイアウトするものとする。
【０１１２】
〔第３実施形態〕
以下、他の実施形態として、画像方向を判定する手段により、レイアウトする画像順を制御する自動モードの指定により、レイアウトモードを切り換える例を図１３，図１４を参照して説明する。
【０１１３】
図１３は、本発明に係る画像処理装置における第３のレイアウト処理手順の一例を示すフローチャートである。なお、（１）〜（１７）は各ステップを示し、画像縮小レイアウト時の処理制御部５０３の処理に対応する。また、本処理はメインのシーケンスより、一定時間毎にまたは必要に応じて呼ばれる。
【０１１４】
まず、ステップ（１）で縮小レイアウトモードか否かを判断し、縮小レイアウトモードでないと判断した場合は、他のモード処理であるため、本処理を抜ける（リターンする）。ここで、縮小レイアウトとは、原稿画像を記録材に複数並べて、出力するモードであり、原稿の１ページ目から順に並べて出力する。
【０１１５】
例えば、４ｉｎ１縮小レイアウトとは、４枚の原稿画像を１枚の記録材に重ならないようにレイアウトする。
【０１１６】
ステップ（２）では、操作者によりレイアウトモードが、画像方向を判定して自動で行うモードであるか否かを判断する。ステップ（２）で操作者により原稿画像の方向を判定して、自動でレイアウト方向を判断するオートレイアウトモード（第１の制御モード）であるか、画像方向を原稿載置方向にして、操作者により指定されたレイアウトモード（第２の制御モード）でレイアウトするかどうかを判断する。原稿方向を判断する自動レイアウトモードであると判断した場合は、ステップ（１１）へ移行する。
【０１１７】
一方、ステップ（２）で自動レイアウトモードでないモード（第２の制御モード）と判断した場合には、ステップ（３）へ移行し、ステップ（３）では、原稿搬送装置（ＲＤＦ）１８０が原稿の先頭ページから読み取るモードを有しているかＲＤＦ１８０の機種コードを読み出して判断し、ＲＤＦ１８０が先頭ページから読み込み不可能であると判定した場合には、ステップ（１１）へ移行する。
【０１１８】
一方、ステップ（３）でＲＤＦ１８０が先頭ページから読み込み可能な機能を有していると判定した場合には、ステップ（４）へ移行し、原稿の読み込み動作を開始し、ステップ（５）へ移行する。
【０１１９】
ステップ（５）では、縮小レイアウトのレイアウト枚数Ｎページ、上記４ｉｎ１縮小レイアウトの場合は、４枚の原稿画像を読み込み、画像メモリ部５０１でレイアウトする。その後、ステップ（６）へ移行し、画像メモリ部５０１でレイアウトした記録材１ページの画像をプリンタ部２０４に出力し、更に、画像記憶部３０４のハードディスクに画像を記憶する。
【０１２０】
その後、ステップ（７）へ移行し、原稿が全て読み込めたかどうかを判断し、ＮＯならばステップ（５）へ戻り、原稿の読み込みを繰り返す。
【０１２１】
一方、ステップ（７）で、原稿の読み込みが終了していると判定した場合は、ステップ（８）へ移行し、操作部７００により設定されたコピー部数の出力が終了しているかどうかを判断し、コピー部数分の出力が終了していると判定した場合は、処理を終了する。
【０１２２】
一方、ステップ（８）で、コピー部数分の出力が終了していないと判定した場合は、ステップ（９）へ移行し、画像記憶部３０４のハードディスクに記憶した、記録材に出力する画像形態の画像を読み出して、画像メモリ部５０１へ展開し、プリンタ部２０４へ出力する。その後、ステップ（１０）へ移行して、全ての原稿画像が画像記憶部３０４のハードディスクから読み出され、プリンタ部２０４に出力されたか否かを判断し、全ての原稿画像が出力されていないないと判断した場合はステップ（９）へ戻り、画像記憶部３０４からプリンタ部２０４への出力を繰り返す。この時、ステップ（９）で出力枚数、画像記憶部３０４からの画像読み出しの繰り返し回数は、原稿枚数を縮小レイアウトのレイアウト枚数Ｎで割った値となる。
【０１２３】
一方、ステップ（１０）で、全ての原稿画像が終了していると判定した場合は、ステップ（８）へ戻り、出力部数終了したかどうかを判断する。
【０１２４】
一方、ステップ（２）で、自動レイアウトモードと判定された場合、及びステップ（３）でＲＤＦ１８０が先頭ページから読み込み不可能であると判定した場合は、ステップ（１１）へ移行し、原稿画像を読み込み、ステップ（１２）で画像記憶部３０４へ記憶する。
【０１２５】
その後、ステップ（１３）へ移行して、原稿全ての画像の読み込みが終了しているかどうかを判定し、読み込みが終了していないと判定された場合は、ステップ（１１）へ戻り、原稿の読み込みを繰り返す。
【０１２６】
一方、ステップ（１３）で、読み込みが終了していると判定された場合は、ステップ（１４）へ移行し、画像記憶部３０４から画像を読み出し、制御部３０３内の画像メモリ部５０１に画像をレイアウトして行く。この時、画像をレイアウトするレイアウト順は原稿画像方向判定部３０７の判定結果に基づいてレイアウトする。そのレイアウト例を、４ｉｎ１の場合を図１４に示す。
【０１２７】
図１４は、本発明に係る画像処理装置における自動モードの指定時のレイアウト状態を説明する模式図である。
【０１２８】
図において、縦原稿の横書画像文書の場合は、図１４の（ａ）に示すようにレイアウトしていく。また、縦原稿の縦書き画像文書の場合は、図１４の（ｂ）に示すようにレイアウトする。さらに、横原稿の横書き画像文書の場合は、図１４の（ｃ）に示すようにレイアウトする。また、横原稿の縦書き画像文書の場合は、図１４の（ｄ）に示すようにレイアウトを判断する。
【０１２９】
そして、Ｎページの原稿画像分を画像メモリ部５０１にレイアウトすると、ステップ（１５）へ移行し、レイアウトされた画像をプリンタ部２０４へ出力する。その後、ステップ（１６）へ移行し、原稿枚数分出力したかどうかを判断し、原稿枚数分出力していないと判定した場合は、ステップ（１４）へ戻り、全ての原稿が出力するまで同様の処理を繰り返す。
【０１３０】
一方、ステップ（１６）で原稿枚数分出力していると判定した場合は、ステップ（１７）へ移行し、操作部７００で設定された出力部数分出力したか否かを判断し、出力部数分出力していないと判定した場合は、ステップ（１４）へ戻り、設定部数分出力するまで、ステップ（１４）〜（１６）を繰り返す。
【０１３１】
一方、ステップ（１７）で、設定部数分出力していると判定した場合は、処理を終了する。
【０１３２】
なお、上記フローチャート内では詳述していないが、原稿枚数がＮの整数倍でないとき、最終原稿を含む用紙の出力には、残りを白紙でレイアウトとするものとする。
【０１３３】
また、本フローチャートでは、原稿画像を判定してレイアウト自動で判定するモードの時、全ての原稿画像の読み込みが終了してから、プリンタ部２０４へ出力しているが、ＲＤＦ１８０が原稿の先頭ページから読み込む場合においては、Ｎページ分の画像を読み込み、原稿方向の判定が終了する毎に、順次画像メモリ部５０１から読み出して、プリンタ部２０４へ出力するように構成してもよい。
【０１３４】
以下、上記各実施形態と第１０の発明の各工程との対応及びその作用について図６，図７を参照して説明する。
【０１３５】
第１０の発明は、記録媒体に画像を出力する画像出力手段（プリンタ部２０４）と、複数の画像情報を入力する入力手段（画像読み取り部２０１等を含む入力手段）と、入力手段から入力された画像情報を記憶する記憶手段（電子ソータ部２０３内の画像記憶部３０４）とを有する画像処理装置のレイアウト処理方法において、画像記憶部３０４に記憶された所定数の画像情報を選択される記録媒体のサイズに応じて確保されるレイアウト領域に展開させるレイアウトモードを設定する設定工程（図示しない前ステップ）と、前記レイアウトモードが設定された場合に、入力手段が入力した画像情報を画像記憶部３０４に記憶させる際にレイアウトする第１のレイアウトモードと前記記憶手段から読み出した画像情報をプリンタ部２０４から出力させる際にレイアウトする第２のレイアウトモードとのいずれかを選択する選択工程（図６のステップ（２），図７のステップ（２），（４））と、該選択結果に基づいて前記第１のレイアウトモードまたは第２のレイアウトモードにより前記画像情報をプリンタ部２０４からレイアウト出力させるレイアウト工程（図６のステップ（５）〜（１１）またはステップ（１３）〜（１９），図７のステップ（５）〜（１１）またはステップ（１２）〜（１８））とをＣＰＵ２０６がＲＯＭ２０７等のメモリ資源に記憶された制御プログラムを実行して、画像入力後のレイアウト変更に柔軟に対応するという要求と、原稿画像のレイアウト出力を高速に得るという要求との双方を自在に切り換えながら効率よく画像処理を行える。
【０１３６】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１３７】
この場合、記憶媒体から読み出されたプログラムコード自体が本発明の新規な機能を実現することになり、そのプログラムコードを記憶した記憶媒体は本発明を構成することになる。
【０１３８】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０１３９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４１】
なお、本発明は、複数の機器から構成されるシステムに適用しても、１つの機器からなる装置に適用してもよい。また、本発明は、システムあるいは装置にプログラムを供給することによって達成される場合にも適用できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１４２】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１４３】
【発明の効果】
以上説明したように、本発明によれば、画像入力後のレイアウト変更に柔軟に対応するという要求と、原稿画像のレイアウト出力を高速に得るという要求との双方を自在に切り換えながら効率よく画像処理を行える。
また、原稿枚数を計数するモードに最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
さらに、原稿給送装置が先頭原稿を給送可能か否かを識別して最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
また、方向検知結果に応じてレイアウト順が制御される場合には、レイアウトを柔軟にコントロールでき、レイアウト順が既に決定されている場合には、高速制御および記憶手段における使用量の節約ができる。
【図面の簡単な説明】
【図１】本発明の第１実施形態を示す画像処理装置の構成を説明する断面図である。
【図２】図１に示した画像処理装置の操作部の一例を示す平面図である。
【図３】図１に示した画像処理装置の制御構成を説明するブロック図である。
【図４】図３に示した電子ソータ部の詳細構成を示すブロック図である。
【図５】図４に示した画像方向検知部の構成を説明するブロック図である。
【図６】図４に示した画像方向判定部による方向判定処理動作を説明する図である。
【図７】図４に示した画像方向判定部による方向判定処理手順の一例を示すフローチャートである。
【図８】図５に示した文字認識／方向判別部による文書方向判別処理手順を説明する図である。
【図９】図５に示した文字認識／方向判別部による文書方向判別処理手順を説明する図である。
【図１０】図４に示した制御部の構成を示すブロック図である。
【図１１】本発明に係る画像処理装置における第１のレイアウト処理手順の一例を示すフローチャートである。
【図１２】本発明に係る画像処理装置における第２のレイアウト処理手順の一例を示すフローチャートである。
【図１３】本発明に係る画像処理装置における第３のレイアウト処理手順の一例を示すフローチャートである。
【図１４】本発明に係る画像処理装置における自動モードの指定時のレイアウト状態を説明する模式図である。
【符号の説明】
２０１  画像読み取り部
２０３  電子ソータ部
２０４  プリンタ部
２０５  ＣＰＵ回路部
【図１】
0003902840.tif 000002
【図２】
0003902840.tif 000003
【図３】
0003902840.tif 000004
【図４】
0003902840.tif 000005
【図５】
0003902840.tif 000006
【図６】
0003902840.tif 000007
【図７】
0003902840.tif 000008
【図８】
0003902840.tif 000009
【図９】
0003902840.tif 000010
【図１０】
0003902840.tif 000011
【図１１】
0003902840.tif 000012
【図１２】
0003902840.tif 000013
【図１３】
0003902840.tif 000014
【図１４】
0003902840.tif 000015